(57)【要約】【課題】メディアストリームの送信を良好に行う。【解決手段】端末装置１１０Ａ，１００Ｂは、ＮＧＮ網２１１およびインターネット２１２を介して、接続されている。端末装置１１０Ａは、端末装置１１０Ｂの電話番号をダイヤルすることで、ＮＧＮ網２１１経由のセッションを確立できる。端末装置１１０Ａは、ＮＧＮ網２１１経由のセッションの確立過程、確立後等に、ＮＧＮ網２１１を通じて、端末装置１１０ＢからＩＰアドレス、ポート番号等の接続情報を取得する。端末装置１１０Ａは、必要に応じて、ＮＧＮ網２１１経由のセッションが確立されている状態で、あるいは、当該ＮＧＮ網２１１経由のセッションを切断した後に、上述の接続情報を用いて、インターネット２１２経由のセッションを確立する。端末装置１１０Ａは、端末装置１１０Ｂに，メディアストリームを、そのタイプ等に応じて、ＮＧＮ網２１１あるいはインターネット２１２で送信できる。【選択図】図１
2009194674.tif 000002
【特許請求の範囲】
【請求項１】
第１のネットワークを通じて相手側通信端末装置との間で通信を行う第１のネットワーク通信部と、
第２のネットワークを通じて上記相手側通信端末装置との間で通信を行う第２のネットワーク通信部と、
上記第１のネットワーク通信部および上記第２のネットワーク通信部の動作を制御する制御部とを備え、
上記制御部は、上記第１のネットワークを経由して上記相手側通信端末装置から送られてくる接続情報に基づいて、上記第２のネットワーク通信部により上記第２のネットワークを経由したセッションを確立する
ことを特徴とする通信端末装置。
【請求項２】
上記制御部は、上記第１のネットワークを経由したセッションが確立されている状態で、上記第２の通信部により上記第２のネットワークを経由したセッションを確立する
ことを特徴とする請求項１に記載の通信端末装置。
【請求項３】
上記制御部は、上記第１のネットワークを経由したセッションを切断した後に、上記第２のネットワーク通信部により上記第２のネットワークを経由したセッションを確立する
ことを特徴とする請求項１に記載の通信端末装置。
【請求項４】
上記第１のネットワークはギャランティ型のネットワークであり、上記第２のネットワークはベストエフォート型のネットワークである
ことを特徴とする請求項１に記載の通信端末装置。
【請求項５】
上記ギャランティ型のネットワークは次世代ネットワーク（ＮＧＮ）網であり、上記ベストエフォート型のネットワークはインターネットあるいはイントラネットである
ことを特徴とする請求項４に記載の通信端末装置。
【請求項６】
上記制御部は、所定のメディアストリームを送信する際に、該メディアストリームを上記第１のネットワークで送信するか上記第２のネットワークで送信するかを、該所定のメディアストリームのメディアタイプに応じて決定する
ことを特徴とする請求項１に記載の通信端末装置。
【請求項７】
ユーザが、メディアタイプ毎に、メディアストリームを上記第１のネットワークで送信するか、上記第２のネットワークで送信するかを設定するユーザ設定部をさらに備え、
上記制御部は、上記ユーザ設定部で設定された設定情報に基づいて、上記所定のメディアストリームを上記第１のネットワークで送信するか上記第２のネットワークで送信するかを決定する
ことを特徴とする請求項６に記載の通信端末装置。
【請求項８】
上記制御部は、所定のメディアストリームを送信する際に、該メディアストリームを上記第１のネットワークで送信するか上記第２のネットワークで送信するかを、該所定のメディアストリームの帯域に応じて決定する
ことを特徴とする請求項１に記載の通信端末装置。
【請求項９】
ユーザが、メディアストリームを上記第１のネットワークで送信するか、上記第２のネットワークで送信するかを決定するための帯域閾値を設定するユーザ設定部をさらに備え、
上記制御部は、上記ユーザ設定部で設定された帯域閾値情報に基づいて、上記所定のメディアストリームを上記第１のネットワークで送信するか上記第２のネットワークで送信するかを決定する
ことを特徴とする請求項８に記載の通信端末装置。
【請求項１０】
上記制御部は、所定のメディアストリームを送信する際に、該メディアストリームを上記第１のネットワークで送信するか上記第２のネットワークで送信するかを、上記相手側の電話番号に応じて決定する
ことを特徴とする請求項１に記載の通信端末装置。
【請求項１１】
ユーザが、相手側の電話番号毎に、メディアストリームを上記第１のネットワークで送信するか、上記第２のネットワークで送信するかを設定するユーザ設定部をさらに備え、
上記制御部は、上記ユーザ設定部で設定された設定情報に基づいて、上記所定のメディアストリームを上記第１のネットワークで送信するか上記第２のネットワークで送信するかを決定する
ことを特徴とする請求項１０に記載の通信端末装置。
【請求項１２】
第１のネットワークを通じて相手側通信端末装置との間で通信を行う第１のネットワーク通信部と、第２のネットワークを通じて上記相手側通信端末装置との間で通信を行う第２のネットワーク通信部とを備える通信端末装置の制御方法であって、
上記第１のネットワーク通信部により上記第１のネットワークを経由したセッションを確立する第１のセッション確立ステップと、
上記第１のネットワークを経由して上記相手の通信端末装置から送られてくる接続情報を取得する接続情報取得ステップと、
上記接続情報に基づいて、上記第２のネットワーク通信部により上記第２のネットワークを経由したセッションを確立する第２のセッション確立ステップと
を有することを特徴とする通信端末装置の制御方法。
【発明の詳細な説明】
【技術分野】
【０００１】
この発明は、通信端末装置および通信端末装置の制御方法に関する。詳しくは、この発明は、第１、第２のネットワークを通じて相手側通信端末装置との間で通信を行う第１、第２のネットワーク通信部を備えるものにあって、第１のネットワークを経由して相手側通信端末装置から送られてくる接続情報に基づいて第２のネットワークを経由したセッションを確立可能としたことにより、相手側へのメディアストリームの送信を良好に行い得るようにした通信端末装置等に係るものである。
【背景技術】
【０００２】
近年、従来の回線交換式の電話回線網をＩＰ（Internet Protocol）技術をベースにしたネットワークに置き換える、次世代ネットワーク（ＮＧＮ：Next Generation Network）の構築に向けた動きが活発化している（例えば、特許文献１参照）。
【０００３】
ＮＧＮは、ネットワーク自体に帯域補償機能、セキュリティ機能を備え、セッション開始プロトコル（ＳＩＰ：Session Initiation Protocol）を使って、電話サービス、映像通信サービス、データ通信サービス等を統合的に実現するＩＰネットワークである。
【０００４】
次世代ネットワークでは、特定の通信に対して一定の帯域幅を予め予約する仕組みがあり、ＱｏＳ（Quality of Service）が保証されているギャランティ型（品質保証型）のネットワークであり、例えば、音声通話、動画配信等のリアルタイム通信を音や映像の途切れや遅延を発生することなく、安定して行うことができる。
【０００５】
一方、現在、ＩＰベースのネットワークとしてインターネットがある。このインターネットとＮＧＮとは、全く別のネットワークである。すなわち、インターネットは基本的にベストエフォート型のネットワークであり、Ｑｏｓが保証されておらず、突発的に通信速度が低下するといったことが起こり得る。これに対して、上述の次世代ネットワークでは、必要な帯域幅を予め予約することにより、Ｑｏｓの保証が可能となる。
【特許文献１】特開２００７−１５９１４２号公報
【発明の開示】
【発明が解決しようとする課題】
【０００６】
上述した次世代ネットワークの使用は、Ｑｏｓが保証されていることから、安定した通信品質が求められる動画配信などで非常に有効であるが、インターネットの使用と比較すると、通信費用が高くなるという問題がある。一方、インターネットの使用は、次世代ネットワークの使用と比較すると、通信費用を抑えることができるが、Ｑｏｓが保証されておらず、通信品質が求められる動画配信等には向かないという問題がある。
【０００７】
この発明の目的は、相手側へのメディアストリームの送信を良好に行い得るようにすることにある。
【課題を解決するための手段】
【０００８】
この発明の概念は、
第１のネットワークを通じて相手側通信端末装置との間で通信を行う第１のネットワーク通信部と、
第２のネットワークを通じて上記相手側通信端末装置との間で通信を行う第２のネットワーク通信部と、
上記第１のネットワーク通信部および上記第２のネットワーク通信部の動作を制御する制御部とを備え、
上記制御部は、上記第１のネットワークを経由して上記相手側通信端末装置から送られてくる接続情報に基づいて、上記第２のネットワーク通信部により上記第２のネットワークを経由したセッションを確立する
ことを特徴とする通信端末装置にある。
【０００９】
この発明においては、相手側端末装置との間で、第１、第２のネットワークを通じて通信をおこなうことが可能とされている。すなわち、第１のネットワークを通じて相手側通信端末装置との間で通信を行う第１のネットワーク通信部と、第２のネットワークを通じて相手側通信端末装置との間で通信を行う第２のネットワーク通信部とが備えられている。例えば、第１のネットワークは次世代ネットワーク（ＮＧＮ）等のギャランティ型のネットワークであり、第２のネットワークはインターネットあるいはイントラネット等のベストエフォート型のネットワークである。
【００１０】
第２のネットワーク通信部により第２のネットワークを経由したセッションを確立する際には、第１のネットワークを経由して相手側通信端末装置から送られてくる接続情報が使用される。第１のネットワーク通信部および第２のネットワーク通信部の動作は、制御部により制御される。
【００１１】
例えば、第２のネットワークを経由した通信と共に第１のネットワークを経由した通信が必要である場合には、第１のネットワークを経由したセッションが確立されている状態で、さらに第２の通信部により第２のネットワークを経由したセッションが確立される。また、例えば、第２のネットワークを経由した通信があれば、第１のネットワークを経由した通信が不要である場合には、第１のネットワークを経由したセッションが切断された後に、第２の通信部により第２のネットワークを経由したセッションが確立される。
【００１２】
このように、この発明においては、第１のネットワークを経由して相手側通信端末装置から送られてくる接続情報に基づいて第２のネットワークを経由したセッションを確立できるため、第１、第２のネットワークのいずれか、あるいは双方を使用して、相手側端末装置へのメディアストリームの送信を良好に行うことができる。
【００１３】
この発明において、例えば、制御部は、所定のメディアストリームを送信する際に、このメディアストリームを第１のネットワークで送信するか第２のネットワークで送信するかを、この所定のメディアストリームのメディアタイプ、帯域、あるいは相手側の電話番号に応じて決定する、ようにされてもよい。この場合、ユーザは、所定のメディアストリームを送信する毎に、いずれのネットワークで送信するかを指示することが不要となる。
【００１４】
この場合、例えば、ユーザが、メディアタイプ毎に、メディアストリームを第１のネットワークで送信するか、第２のネットワークで送信するかを設定可能とし、制御部は、所定のメディアストリームを第１のネットワークで送信するか、第２のネットワークで送信するかを決定する際に、その設定情報に基づいて決定する、ようにされてもよい。
【００１５】
また、例えば、ユーザが、メディアストリームを第１のネットワークで送信するか、第２のネットワークで送信するかを決定するための帯域閾値を設定可能とし、制御部は、所定のメディアストリームを第１のネットワークで送信するか、第２のネットワークで送信するかを決定する際に、その帯域閾値に基づいて決定する、ようにされてもよい。
【００１６】
また、例えば、ユーザが、相手側の電話番号毎に、メディアストリームを第１のネットワークで送信するか、第２のネットワークで送信するかを設定可能とし、制御部は、所定のメディアストリームを第１のネットワークで送信するか、第２のネットワークで送信するかを決定する際に、その設定情報に基づいて決定する、ようにされてもよい。
【発明の効果】
【００１７】
この発明によれば、第１、第２のネットワークを通じて相手側通信端末装置との間で通信を行う第１、第２のネットワーク通信部を備えるものにあって、第１のネットワークを経由して相手側通信端末装置から送られてくる接続情報に基づいて第２のネットワークを経由したセッションを確立可能としたものであり、相手側へのメディアストリームの送信を良好に行うことができる。
【発明を実施するための最良の形態】
【００１８】
以下、図面を参照しながら、この発明の実施の形態について説明する。図１は、実施の形態としての通信システム１００の構成例を示している。この通信システム１００は、通信端末装置（端末Ａ）１１０Ａと、通信端末装置（端末Ｂ）１１０Ｂとが、次世代ネットワーク（ＮＧＮ）網２１１およびインターネット２１２を介して、接続されている。
【００１９】
図２は、通信端末装置１１０（１１０Ａ，１１０Ｂ）の構成例を示している。この通信端末装置１１０は、制御部１１１と、入力部１１２と、出力部１１３と、情報入出力部１１４と、情報記憶部１１５と、情報処理部１１６と、ネットワーク通信部１１７とを有している。
【００２０】
制御部１１１は、通信端末装置１１０の各部の動作を制御する。この制御部１１１は、ＣＰＵ（Central Processing Unit）１１１ａ、ＲＯＭ（Read OnlyMemory）１１１ｂおよびＲＡＭ（Random Access Memory）１１１ｃを備えている。制御部１１１においては、ＣＰＵ１１１ａが、例えば、ＲＯＭ１１１ｂに記憶されているプログラムをＲＡＭ１１１ｃにロードして実行することにより、種々の制御処理を行う。
【００２１】
入力部１１２は、キーボード、マウス、カメラ、マイクロホン等により構成されている。出力部１１３は、ディスプレイ、スピーカ等により構成されている。情報入出力部１１４は、磁気ディスク、光ディスク、光磁気ディスク、あるいはメモリカード等のリムーバブルメディアのドライブ、各種入出力端子等により構成されている。
【００２２】
情報記憶部１１５は、ＨＤＤ(Hard Disk Drive)、不揮発性メモリ等により構成されている。この情報記憶部１１５には、上述した情報入出力部１１４から入力される映像信号、音声信号、データ等の各種情報、あるいは、相手側通信端末から送信されてくる映像信号、音声信号、データ等の各種情報が記憶保持される。
【００２３】
情報処理部１１６は、圧縮処理／伸長処理、パケタイズ／デパケタイズ等の処理を行う。すなわち、情報処理部１１６は、情報記憶部１１５から読み出した送信情報に対して、圧縮処理およびパケタイズ等の処理を施して、送信メディアストリームを生成する。また、情報処理部１１６は、ネットワーク通信部１１７で受信された受信メディアストリームに対してデパケタイズおよび伸長処理等の処理を施して、受信情報を生成する。
【００２４】
ネットワーク通信部１１７は、ＮＧＮ網２１１、インターネット２１２を通じて、相手側通信端末装置との間で通信を行う。このネットワーク通信部１１７は、情報処理部１１６で生成された送信メディアストリームを相手側通信端末装置に送信すると共に、相手側通信端末装置から受信した受信メディアストリームを情報処理部１１６に供給する。ここで、ネットワーク通信部１１７は、第１のネットワーク通信部１２１と、第２のネットワーク通信部１２２とを備えている。
【００２５】
第１のネットワーク通信部１２１は、ＮＧＮ網２１１を通じて、相手側通信端末装置との間で通信を行う。この通信は、第１のネットワーク通信部１２１により、ＮＧＮ網１２１を経由したセッションが確立されることで可能となる。また、第２のネットワーク通信部１２２は、インターネット２１２を通じて、相手側通信端末装置との間で通信を行う。この通信は、第２のネットワーク通信部１２２により、インターネット１２１を経由したセッションが確立されることで可能となる。
【００２６】
なお、インターネット１２１を経由したセッションを確立するためには、相手側通信端末装置のＩＰアドレスおよびポート番号等の接続情報が必要となる。この情報は、ＮＧＮ網１２１を経由したセッションの確立過程、あるいは確立後に、相手側通信端末装置から送られてくる。
【００２７】
次に、図１に示す通信システム１００の通信例を、図３のシーケンス図を参照して説明する。ここで、通信端末装置１１０Ａを「端末Ａ」とし、通信端末装置１１０Ｂを「端末Ｂ」として説明する。
【００２８】
（１）端末Ａは、ダイヤルされた電話番号を相手宛先に、また自ＩＰアドレス、音声及びデータのメデイアタイプ、ポート番号をＳＤＰ（Session Description Protocol）に設定したＩＮＶＩＴＥメッセージをＮＧＮ網２１１に送信する。
【００２９】
（２）ＮＧＮ網２１１は、ＩＮＶＩＴＥメッセージの相手宛先（電話番号）から端末ＢのＩＰアドレスを抽出して、当該ＩＮＶＩＴＥメッセージを端末Ｂに送信する。
【００３０】
（３）端末Ｂは、受信したＩＮＶＩＴＥメッセージに含まれる端末ＡのＩＰアドレス、音声及びデータのメデイアタイプ、ポート番号を、電話番号対応ストリーム制御データの端末Ａの電話番号対応エリアに記憶する。
【００３１】
図４は、電話番号対応ストリーム制御データの構成例を示している。ストリーム制御データは、ＩＰアドレスとポート情報とからなっている。また、ポート情報は、ｎ個のメディアタイプとポート番号の組み合わせからなっている。
【００３２】
（４）端末Ｂは、ＩＮＶＩＴＥメッセージに対する応答として、自ＩＰアドレス、音声及びデータのメデイアタイプ、ポート番号をＳＤＰに設定した２００  ＯＫをＮＧＮ網２１１に送信する。
【００３３】
（５）ＮＧＮ網２１１は、公知の技術にて、端末Ｂから受信した２００  ＯＫのメッセージ内セッション情報から、当該２００  ＯＫを端末Ａに転送する。
【００３４】
図５は、上述したＩＮＶＩＴＥメッセージ、あるいは２００  ＯＫに設定されるＳＤＰの記述例を示している。ここで、一般に、「ｖ」はプロトコルのバーション、「ｏ」は所有者／作成者およびセッションの識別子、「ｓ」はセッション名、「ｃ」はセッション情報、「ｔ」はセッションがアクティブな時間、「ｍ」はメディア名と伝送アドレス、「ｂ」は帯域情報、「ａ」はメディア属性行を表す。この図５の記述例では、「ｃ」の部分に、ＩＰアドレス（ａａａ：ｂｂｂ：ｃｃｃ：ｄｄｄ）が記述されている（ここでのＩＰアドレスは第１のネットワーク通信部ＩＰアドレスである）。最初の「ｍ」の部分に、メディアタイプ（audio）とポート番号（20000）が記述されている。次の「ｍ」の部分に、メディアタイプ（application）とポート番号（21000）が記述されている。
【００３５】
（６）端末Ａは、受信した２００  ＯＫに含まれる端末ＢのＩＰアドレス、音声及びデータのメデイアタイプ、ポート番号を電話番号対応ストリーム制御データ（図４参照）の端末Ｂの電話番号対応エリアに記憶する。
【００３６】
（７）ここで、端末Ａと端末Ｂとの間に、ＮＧＮ網２１１を経由した、セッションが確立される。そして、端末Ａと端末Ｂは、ＮＧＮ網２１１を介した音声通信中となる。つまり、端末Ａと端末Ｂとの間に、ＮＧＮ網２１１を介したオーディオ信号の送受信が可能なストリーム（オーディオストリーム）が開設される。また、端末Ａと端末Ｂとの間に、ＮＧＮ網２１１を介したデータの送受信が可能なストリーム（データストリーム）が開設される。
【００３７】
（８）端末Ａは、端末Ｂの電話番号対応の電話番号対応ストリーム制御データを参照し、端末ＢのＩＰアドレス及びデータ転送のメデイアタイプ、ポート番号を抽出すると、データの送受信が可能なストリームを通じて、ビデオ通信やファイル転送に必要なメデイアタイプ、ポート番号をＳＤＰに設定したＵＤＰパケットを、ＮＧＮ網２１１を介して、端末Ｂに送信する。
【００３８】
（９）端末Ｂは、受信したＵＤＰパケット（ＳＤＰ）に含まれる端末Ａのビデオ通信やファイル転送のメデイアタイプ、ポート番号を電話番号対応ストリーム制御データの端末Ａの電話番号対応エリア（図４参照）に記憶する。
【００３９】
（１０）端末Ｂは、端末Ａの電話番号対応の電話番号対応ストリーム制御データを参照し、端末ＡのＩＰアドレス及びデータ転送のメデイアタイプ、ポート番号を抽出すると、データの送受信が可能なストリームを通じて、ビデオ通信やファイル転送に必要なメデイアタイプ、ポート番号をＳＤＰに設定したＵＤＰパケットを、ＮＧＮ網２１１を介して、端末Ｂに送信する。
【００４０】
（１１）端末Ａは、受信したＵＤＰパケット（ＳＤＰ）に含まれる端末Ｂのビデオ通信やファイル転送のメデイアタイプ、ポート番号を電話番号対応ストリーム制御データの端末Ｂの電話番号対応エリア（図４参照）に記憶する。
【００４１】
図６は、上述したＵＤＰパケット（データストリーム）に設定されるＳＤＰの記述例を示している。この図６の記述例では、「ｃ」の部分に、ＩＰアドレス（ａａａ：ｂｂｂ：ｃｃｃ：ｄｄｄ）が記述されている（ここでのＩＰアドレスは第２のネットワーク通信部ＩＰアドレスである）。最初の「ｍ」の部分に、メディアタイプ（video）とポート番号（30000）が記述されている。次の「ｍ」の部分に、メディアタイプ（application）とポート番号（31000）が記述されている。
【００４２】
（１２）端末Ａから端末Ｂに大容量データ転送（ＦＴＰ）を行う場合、データ転送を開始する操作を端末Ａにて行うと、端末Ａは、端末Ｂの電話番号対応の電話番号対応ストリーム制御データ（図４参照）を参照し、端末ＢのＩＰアドレス及びデータ転送のメデイアタイプ、ポート番号を抽出すると、インターネット２１２経由で、当該ＩＰアドレス、ポート番号宛に、データ転送を実施する。
【００４３】
（１３）端末Ｂは、端末Ａからインターネット経由で送信されてくるデータを受信する。この場合、端末Ａと端末Ｂとの間に、インターネット２１２を経由した、セッションが確立されたことになる。
【００４４】
上述の図３のシーケンス図で示される通信例では、オーディオおよび小容量データ（ＵＤＰデータ）のストリーム（狭帯域ストリーム）の送信にはＮＧＮ網２１１が使用されるが、ビデオおよび大容量データ（ＦＴＰデータ）のストリーム（広帯域ストリーム）を送信する際には、インターネット２１２が使用されるので、ＮＧＮ網利用の通信費用を安価に抑えることができる。
【００４５】
次に、図１に示す通信システム１００の他の通信例を、図７のシーケンス図を参照して説明する。ここでも、通信端末装置１１０Ａを「端末Ａ」とし、通信端末装置１１０Ｂを「端末Ｂ」として説明する。
【００４６】
（１）端末Ａは、ダイヤルされた電話番号を相手宛先に、また自ＩＰアドレス、音声及びデータのメデイアタイプ、ポート番号をＳＤＰ（図５参照）に設定したＩＮＶＩＴＥメッセージをＮＧＮ網２１１に送信する。
【００４７】
（２）ＮＧＮ網２１１は、ＩＮＶＩＴＥメッセージの相手宛先（電話番号）から端末ＢのＩＰアドレスを抽出して、当該ＩＮＶＩＴＥメッセージを端末Ｂに送信する。
【００４８】
（３）端末Ｂは、受信したＩＮＶＩＴＥメッセージに含まれる端末ＡのＩＰアドレス、音声及びデータのメデイアタイプ、ポート番号を電話番号対応ストリーム制御データ（図４参照）の端末Ａの電話番号対応エリアに記憶する。
【００４９】
（４）端末Ｂは、ＩＮＶＩＴＥメッセージに対する応答として、自ＩＰアドレス、音声及びデータのメデイアタイプ、ポート番号をＳＤＰ（図５参照）に設定した２００  ＯＫをＮＧＮ網２１１に送信する。
【００５０】
（５）ＮＧＮ網２１１は、公知の技術にて、端末Ｂから受信した２００  ＯＫのメッセージ内セッション情報から、当該２００  ＯＫを端末Ａに転送する。
【００５１】
（６）端末Ａは、受信した２００  ＯＫに含まれる端末ＢのＩＰアドレス、音声及びデータのメデイアタイプ、ポート番号を電話番号対応ストリーム制御データ（図４参照）の端末Ｂの電話番号対応エリアに記憶する。
【００５２】
（７）ここで、端末Ａと端末Ｂとの間に、ＮＧＮ網２１１を経由した、セッションが確立される。そして、端末Ａと端末Ｂは、ＮＧＮ網２１１を介した音声通信中となる。つまり、端末Ａと端末Ｂとの間に、ＮＧＮ網２１１を介したオーディオ信号の送受信が可能なストリーム（オーディオストリーム）が開設される。また、端末Ａと端末Ｂとの間に、ＮＧＮ網２１１を介したデータの送受信が可能なストリーム（データストリーム）が開設される。
【００５３】
（８）端末Ａは、端末Ｂの電話番号対応の電話番号対応ストリーム制御データを参照し、端末ＢのＩＰアドレス及びデータ転送のメデイアタイプ、ポート番号を抽出すると、データの送受信が可能なストリームを通じて、ビデオ通信やファイル転送に必要なメデイアタイプ、ポート番号をＳＤＰに設定したＵＤＰパケットを、ＮＧＮ網２１１を介して、端末Ｂに送信する。
【００５４】
（９）端末Ｂは、受信したＵＤＰパケット（ＳＤＰ）に含まれる端末Ａのビデオ通信やファイル転送のメデイアタイプ、ポート番号を電話番号対応ストリーム制御データの端末Ａの電話番号対応エリア（図４参照）に記憶する。
【００５５】
（１０）端末Ｂは、端末Ａの電話番号対応の電話番号対応ストリーム制御データを参照し、端末ＡのＩＰアドレス及びデータ転送のメデイアタイプ、ポート番号を抽出すると、データの送受信が可能なストリームを通じて、ビデオ通信やファイル転送に必要なメデイアタイプ、ポート番号をＳＤＰに設定したＵＤＰパケットを、ＮＧＮ網２１１を介して、端末Ａに送信する。
【００５６】
（１１）端末Ａは、受信したＵＤＰパケット（ＳＤＰ）に含まれる端末Ｂのビデオ通信やファイル転送のメデイアタイプ、ポート番号を電話番号対応ストリーム制御データの端末Ｂの電話番号対応エリア（図４参照）に記憶する。
【００５７】
（１２）端末Ａは、ＢＹＥメッセージをＮＧＮ網２１１に送信する。そして、ＮＧＮ網２１１は、ＢＹＥメッセージを端末Ｂに送信する。ここで、ＮＧＮ網２１１を経由したセッションは切断される。
【００５８】
（１３）端末Ａは、端末Ｂの電話番号対応の電話番号対応ストリーム制御データ（図４参照）を参照し、端末ＢのＩＰアドレス（ここでのＩＰアドレスは第２のネットワーク通信部のＩＰアドレスである）及びデータ転送のメデイアタイプ、ポート番号を抽出すると、インターネット２１２経由で、端末Ｂに対して、ＩＮＶＩＴＥメッセージを送信する。
【００５９】
（１４）端末Ｂは、インターネット２１２経由でＩＮＶＩＴＥメッセージを受信すると、端末Ａの電話番号対応の電話番号対応ストリーム制御データ（図４参照）を参照し、端末ＡのＩＰアドレス（ここでのＩＰアドレスは第２のネットワーク通信部のＩＰアドレスである）及びデータ転送のメデイアタイプ、ポート番号を抽出すると、インターネット２１２を経由して、端末Ａに対して、２００  ＯＫを送信する。
【００６０】
（１５）ここで、端末Ａと端末Ｂとの間に、インターネット２１２を経由した、セッションが確立される。そして、端末Ａと端末Ｂは、インターネット２１２を介した音声、ビデオ通信中となる。つまり、端末Ａと端末Ｂとの間に、インターネット２１２を介してオーディオ信号、ビデオ信号の送受信が可能なストリーム（オーディオストリーム、ビデオストリーム）が開設される。また、端末Ａと端末Ｂとの間に、インターネット２１２を介してファイル転送が可能なストリーム（ファイル転送ストリーム）が開設される。
【００６１】
上述の図７のシーケンス図で示される通信例では、端末Ａ，端末Ｂがインターネット２１２を経由したセッションの確立に必要なＩＰアドレス等の接続情報を取得した後は、ＮＧＮ網２１１を経由したセッションは切断され、代わりにインターネット２１２を経由したセッションが確立される。この場合、全てのメディアタイプのメディアストリームの送信に、インターネット２１２が使用されるので、ＮＧＮ網利用の通信費用をより安価に抑えることができる。
【００６２】
なお、上述の図３のシーケンス図で示される通信例では、端末装置Ａが端末装置Ｂの電話番号をダイヤルした後、ＮＧＮ網２１１を経由したセッションが確立されて、オーディオストリームおよびデータストリームが開設され、その後、例えば、ビデオ信号あるいはフィルデータ等のメディアストリームを端末Ｂに送信する際に、ＮＧＮ網２１１を経由したセッションが確立されている状態で、さらに、インターネット２１２を経由したセッションが確立される例である。この例の場合、端末装置Ａは、例えば、ＮＧＮ網２１１を介して端末Ｂと音声通信をしながら、インターネット２１２を介して、端末Ｂに、映像信号あるいはフィルデータ等のメディアストリームを送信することができる。
【００６３】
また、上述の図７のシーケンス図で示される通信例では、端末装置Ａが端末装置Ｂの電話番号をダイヤルした後、ＮＧＮ網２１１を経由したセッションが確立されて、オーディオストリームおよびデータストリームが開設され、その後、当該ＮＧＮ網２１１を経由したセッションが切断され、インターネット２１２を経由したセッションが確立される例である。この例の場合、端末装置Ａは、例えば、インターネット２１２を介して端末Ｂと音声通信をしながら、さらに、当該インターネット２１２を介して、端末Ｂに、映像信号あるいはフィルデータ等のメディアストリームを送信することができる。
【００６４】
なお、端末装置Ａでは、所定のメディアストリームを端末Ｂに送信する際に、当該メディアストリームを、ＮＧＮ網２１１で送信するか、インターネット２１２で送信するかを決定して、通信処理を行ってもよい。
【００６５】
この場合、端末装置Ａの制御部１１１は、送信すべき所定のメディアストリームをＮＧＮ網２１１で送信するか、インターネット２１２で送信するかを、当該メディアストリームのメディアタイプ、帯域、相手側の電話番号等に基づいて決定できる。
【００６６】
例えば、メディアストリームのメディアタイプに基づいて決定する場合、オーディオ信号、あるいは小容量データ（ＵＤＰデータ）等はＮＧＮ網２１１で送信するように決定され、ビデオ信号、あるいは大容量データ（ＦＴＰデータ）等はインターネット２１２で送信するように決定される。この場合、メディアタイプ毎に、メディアストリームをＮＧＮ網２１１で送信するか、インターネット２１２で送信するかの情報は、端末装置Ａに予め用意されていてもよいが、ユーザにより任意に設定可能とされてもよい。
【００６７】
また、例えば、メディアストリームの帯域に基づいて決定する場合、メディアストリームの帯域が閾値以下であるときは、ＮＧＮ網２１１で送信するように決定され、メディアストリームの帯域が閾値を超えるときは、インターネット２１２で送信するように決定される。この場合、帯域閾値は、端末装置Ａに予め用意されていてもよいが、ユーザにより任意に設定可能とされてもよい。
【００６８】
また、例えば、相手側の電話番号に基づいて決定する場合、ＱｏＳの保証が必要な重要な取引先の電話番号であるときは、ＮＧＮ網２１１で送信するように決定され、その他の電話番号であるときは、インターネット２１２で送信するように決定される。この場合、電話番号毎に、メディアストリームをＮＧＮ網２１１で送信するか、インターネット２１２で送信するかの情報は、端末装置Ａに予め用意されていてもよいが、ユーザにより任意に設定可能とされてもよい。
【００６９】
図８は、端末Ａのディスプレイに表示される設定画面の一例を示している。ユーザは、この設定画面を利用し、キーボード、マウス等を操作して、設定を行うことができる。ユーザは、図８の設定画面で、メディアタイプ毎に、メディアストリームをＮＧＮ網２１１で送信するか、インターネット２１２で送信するかを設定できる。この場合、ユーザは、入力枠に、メディアタイプとそれに対応したＮＷタイプを入力する。ここで、ＮＷタイプは、ＮＧＮまたはインターネットである。
【００７０】
また、ユーザは、図８の設定画面で、電話番号毎に、メディアストリームをＮＧＮ網２１１で送信するか、インターネット２１２で送信するかを設定できる。この場合、ユーザは、入力枠に電話番号とそれに対応したＮＷタイプを入力する。なお、図８の設定画面例では、入力枠が一つしか設けられていないが、メディアタイプのように複数個設けられていてもよい。
【００７１】
また、ユーザは、図８の設定画面で、帯域閾値を設定できる。この場合、ユーザは、入力枠に帯域閾値を入力する。
【００７２】
ユーザが、例えば上述したように設定画面を用いて設定した情報（メディア送信情報）は、例えば、情報記憶部１１５の不揮発性メモリ等に保持される。図９は、メディア送信情報の構成例を示している。
【００７３】
なお、端末装置Ａの制御部１１１は、上述したように、送信すべき所定のメディアストリームをＮＧＮ網２１１で送信するか、インターネット２１２で送信するかを、当該メディアストリームのメディアタイプ、帯域、相手側の電話番号等に基づいて決定するが、どの情報を用いるのか、あるいはどの情報を優先的に用いるのかは、予め設定され、あるいは、ユーザにより設定可能とされていてもよい。
【００７４】
例えば、相手側の電話番号とＮＷタイプの対応情報が優先され、相手側の電話番号が設定されていないときには、メディアタイプあるいは帯域による決定処理に移行するようにされる。
【００７５】
なお、端末装置Ａが、所定のメディアストリームを端末ＢにＮＧＮ網２１１で送信することを決定した場合、端末Ａと端末Ｂとの間にはＮＧＮ網２１１を経由したセッションが確立される。その場合、端末装置Ａは、メディアタイプ、ポート番号等のメディア情報を、端末装置ＢにＩＮＶＩＴＥメッセージのＳＤＰに設定して送信し、端末装置Ｂはそのメディア情報を２００  ＯＫ  のＳＤＰに設定して端末装置Ａに送信する。
【００７６】
また、端末装置Ｂが、所定のメディアストリームを端末Ｂにインターネット２１２で送信することを決定した場合、端末Ａと端末Ｂとの間にはＮＧＮ網２１１を経由したセッションが確立され、その後に、当該ＮＧＮ網２１１を経由したセッションが切断され、端末Ａと端末Ｂとの間にはインターネット２１２を経由したセッションが確立される。その場合、端末装置Ａは、メディアタイプ、ポート番号等のメディア情報を、ＮＧＮ網２１１を経由したセッションが確立された後のデータストリーム上のＵＤＰパケットのＳＤＰに設定して送信し、端末装置Ｂはそのメディア情報をデータストリーム上のＵＤＰパケットのＳＤＰに設定して端末装置Ａに送信する。
【００７７】
図１に示す通信システム１００においては、通信端末装置（端末Ａ）１１０Ａは、ＮＧＮ網２１１を経由して通信端末装置（端末Ｂ）１１０Ｂから送られてくるＩＰアドレス、ポート番号等の接続情報に基づいて、インターネット２１２を経由したセッションを確立できるため、ＮＧＮ網２１１、インターネット網２１２のいずれか、あるいは双方を使用して、通信端末装置（端末Ｂ）１１０Ｂへのメディアストリームの送信を良好に行うことができる。
【００７８】
また、図１に示す通信システム１００においては、通信端末装置（端末Ａ）１１０Ａは、通信端末装置（１１０Ｂ）の電話番号を知っていれば、その電話番号をダイヤルすることで、通信端末装置（１１０Ｂ）との間でＮＧＮ網２１１を経由したセッションを確立でき、セッションの確立過程で、さらには確立後に、通信端末装置（端末Ｂ）１１０ＢのＩＰアドレス（ここでのＩＰアドレスは第２のネットワーク通信部のＩＰアドレスである）、ポート番号の情報を取得できることから、通信端末装置（端末Ｂ）との間でインターネット２１１を経由したセッションをも確立できる。つまり、図１に示す通信システム１００においては、通信端末装置（端末Ａ）１１０Ａは、通信端末装置（１１０Ｂ）のＩＰアドレス等を知っていなくても、電話番号だけを知っていれば、インターネット２１１を経由した通信を行うことができる。
【００７９】
なお、上述実施の形態においては、第１のネットワークがＮＧＮ網２１１であり、第２のネットワークがインターネット２１２であるものを示したが、この発明において、第１のネットワークおよび第２のネットワークはこれに限定されるものではない。例えば、第２のネットワークは、インターネットではなく、イントラネットであってもよい。
【産業上の利用可能性】
【００８０】
この発明は、相手側端末装置へのメディアストリームの送信を良好に行うことができるものであり、例えば、通信端末間にＮＧＮ網およびインターネットが介在される通信システムに適用できる。
【図面の簡単な説明】
【００８１】
【図１】この発明の実施の形態としての通信システムの構成例を示すブロック図である。
【図２】通信端末装置の構成例を示すブロック図である。
【図３】通信システムの通信例を説明するためのシーケンス図である。
【図４】電話番号対応ストリーム制御データの構成例を示す図である。
【図５】ＩＮＶＩＴＥメッセージ、あるいは２００  ＯＫに設定されるＳＤＰの記述例を示す図である。
【図６】ＵＤＰパケット（データストリーム）に設定されるＳＤＰの記述例を示す図である。
【図７】通信システムの他の通信例を説明するためのシーケンス図である。
【図８】ディスプレイに表示されるメディア送信情報の設定画面の一例を示す図である。
【図９】メディア送信情報の構成例を示す図である。
【符号の説明】
【００８２】
１００・・・通信システム、１１０，１１０Ａ，１１０Ｂ・・・通信端末装置、１１１・・・制御部、１１２・・・入力部、１１３・・・出力部、１１４・・・情報入力部、１１５・・・情報記憶部、１１６・・・情報処理部、１１７・・・ネットワーク通信部、２１１・・・次世代ネットワーク（ＮＧＮ）網、２１２・・・インターネット
【図１】
2009194674.tif 000003
【図２】
2009194674.tif 000004
【図３】
2009194674.tif 000005
【図４】
2009194674.tif 000006
【図５】
2009194674.tif 000007
【図６】
2009194674.tif 000008
【図７】
2009194674.tif 000009
【図８】
2009194674.tif 000010
【図９】
2009194674.tif 000011